(57)【要約】【課題】選択ダイバーシティ通信を行うアンテナ装置の設置面積の低減を図ること。【解決手段】複数のアンテナを用いて選択ダイバーシティ通信を行うアンテナ装置は、複数のアンテナに接続された送受信回路と、複数の放射素子に接続された複数の給電素子と、送受信回路と給電素子との間に配置され、特性インピーダンスが異なる複数の線路と、給電素子と複数の線路との間に配置され、アンテナ間結合によって発生するインピーダンスを打ち消す回路素子とを有する。【選択図】図１
2015162830.tif 000002
【特許請求の範囲】
【請求項１】
複数のアンテナを用いて選択ダイバーシティ通信を行うアンテナ装置において、
複数のアンテナに接続された送受信回路と、
前記アンテナの放射素子に接続された給電素子と、
前記送受信回路と前記給電素子との間に配置され、特性インピーダンスが異なる複数の線路と、
前記給電素子と前記複数の線路との間に配置され、アンテナ間結合によって発生するインピーダンスを打ち消す回路素子と
を有するアンテナ装置。
【請求項２】
前記複数の線路は、前記送受信回路と前記給電素子との間に直列に配置されている、請求項１に記載のアンテナ装置。
【請求項３】
前記回路素子は、前記複数の線路に並列に配置されている、請求項１又は２に記載のアンテナ装置。
【請求項４】
前記回路素子が集中定数素子により形成されている、請求項１−３の何れか１項に記載のアンテナ装置。
【請求項５】
前記回路素子が分布定数素子により形成されている、請求項１−３の何れか１項に記載のアンテナ装置。
【発明の詳細な説明】
【技術分野】
【０００１】
開示される実施の形態はアンテナ装置等に関連する。
【背景技術】
【０００２】
無線通信による情報通信では、空間中を電波が伝播することで情報が通信先に伝達される。電波の一部は、送信アンテナから通信先の受信アンテナまで直接到達する場合と、地面や建築物の壁等の反射材で反射された後に通信先の受信アンテナに到達する場合とがある。直接到達する電波は直接波と呼ばれる。反射材で反射される電波は反射波と呼ばれる。通信先では、直接波と反射波が合成された状態で受信されるので、送信機及び受信機の位置関係、途中の障害物及び地理的環境等に起因して、受信レベルは大きく変動する可能性がある。この変動は、フェージングと呼ばれている。
【０００３】
フェージングの影響を少なくするため、例えば偏波ダイバーシティ等のような選択ダイバーシティを行う場合がある。偏波ダイバーシティでは、偏波方向が異なる電波を送受信できるように、複数のアンテナを組み合わせて通信が行われる。
【０００４】
一方、通信装置を小型化ないし軽薄短小化する要請も存在する。例えば、複数のアンテナを組み合わせて通信する場合に、グランド基板が複数のアンテナに共通に使用される。しかしながら、グランド基板が複数のアンテナに共通に使用されると、アンテナ同士の結合が増え、ダイバーシティ効果が劣化してしまうことが懸念される。
【０００５】
この問題に対処する直接的な方法は、アンテナに沿ってグランド基板にスリット又は溝を形成することで、個々のアンテナ間の結合を抑圧することである。
【先行技術文献】
【特許文献】
【０００６】
【特許文献１】特開2000-286767号公報
【特許文献２】特開平07-221681号公報
【発明の概要】
【発明が解決しようとする課題】
【０００７】
しかしながら、そのようなスリットの近辺に部品を配置することは制限されるので、アンテナ装置を形成する要素は原則としてスリットとは別に設けられる。このため、スリットを形成することに起因して、アンテナ装置の設置面積が大きくなり、ひいては通信装置の小型化を妨げてしまうことが懸念される。
【０００８】
一つの側面における実施の形態の課題は、選択ダイバーシティ通信を行うアンテナ装置の設置面積の低減を図ることである。
【課題を解決するための手段】
【０００９】
実施の形態によるアンテナ装置は、
複数のアンテナを用いて選択ダイバーシティ通信を行うアンテナ装置において、
複数のアンテナに接続された送受信回路と、
前記アンテナの放射素子に接続された給電素子と、
前記送受信回路と前記給電素子との間に配置され、特性インピーダンスが異なる複数の線路と、
前記給電素子と前記複数の線路との間に配置され、アンテナ間結合によって発生するインピーダンスを打ち消す回路素子と
を有するアンテナ装置である。
【発明の効果】
【００１０】
選択ダイバーシティ通信を行うアンテナ装置の設置面積の低減を図ることが可能である。
【図面の簡単な説明】
【００１１】
【図１】実施の形態で使用されるアンテナ装置を示す図。
【図２】アンテナ装置で使用可能なマイクロストリップ線路の断面図
【図３】第1のアンテナ(ANTA)が送受信回路(Tx/Rx)に接続されかつ第2のアンテナ(ANTB)が終端されている様子を示す図。
【図４】高周波信号の流れを示す図。
【図５】第1の放射素子(RADA)、第2の放射素子(RADB)及びグランド基板(GND)を含むグランド層を示す図。
【図６】逆Lアンテナの代わりに逆Fアンテナが使用されている様子を示す図。
【図７】配線層のパターンのうち、第1のアンテナ(ANTA)及び第2のアンテナ(ANTB)に関連する部分を示す図。
【図８】アンテナ装置のグランド層及び配線層を示す図。
【図９】第1のインピーダンス調整回路(CANCELA)がキャパシタで形成された例を示す図。
【図１０】第1のインピーダンス調整回路(CANCELA)がインダクタで形成された例を示す図。
【図１１】第1、第2のインピーダンス調整回路(CANCELA、CANCELB)を、集中定数素子(DISTA、DISTB)として形成した例を示す図。
【図１２】グランド基板(GND)を長方形に形成した場合のアンテナ装置を示す図。
【図１３】比較例によるアンテナ装置の層構造を示す図。
【図１４】比較例によるアンテナ装置の第1のアンテナ(ANT1)に送受信回路(Tx/Rx)を接続しかつ第2のアンテナ(ANT2)を終端した場合に放射される信号の強度についてのシミュレーション結果を示す図。
【図１５】実施の形態によるアンテナ装置の層構造を示す図。
【発明を実施するための形態】
【００１２】
添付図面を参照しながら以下の観点から実施の形態を説明する。図中、同様な要素には同じ参照番号又は参照符号が付されている。
【００１３】
1.アンテナ装置
1.1  構成
1.2  第1のアンテナ(ANTA)
1.3  第2のアンテナ(ANTB)
1.4  動作
2.具体例
3.効果
以下の説明におけるこれらの項目の区分けは実施の形態に本質的ではなく、2つ以上の項目に記載された事項が必要に応じて組み合わせて使用されてよいし、ある項目に記載された事項が、別の項目に記載された事項に(矛盾しない限り)適用されてよい。
【００１４】
＜1.アンテナ装置＞
＜＜1.1  構成＞＞
図1は実施の形態で使用されるアンテナ装置(10)を示す。アンテナ装置(10)は、偏波ダイバーシティを行う適切な如何なる通信装置に設けられてよい。アンテナ装置(10)は、セルラ通信や衛星通信等のような遠距離無線通信に利用されてもよい。アンテナ装置(10)は、ブルートゥース(登録商標)や無線ローカルエリアネットワーク(Wireless  Local  Area  Network：WLAN)又はワイファイ(Wireless  Fidelity：WiFi)(登録商標)等のような近距離無線通信に利用されてもよい。更に、アンテナ装置(10)は無線センサネットワーク等のような用途に利用されてもよい。アンテナ装置(10)は、適切な如何なる周波数又は波長の電波を送受信してよい。例えば、アンテナ装置(10)は、数百メガヘルツないし数テラヘルツの範囲内の電波を送受信してもよい。一例として、アンテナ装置(10)は、周波数が約920MHz(波長λが約32.6cm(λ/4＝約8.15cm))の電波を送受信してよい。
【００１５】
アンテナ装置(10)は、送受信回路(Tx/Rx)と、第1のアンテナ(ANTA)と、第2のアンテナ(ANTB)と、スイッチ(SW)とを有する。
【００１６】
送受信回路(Tx/Rx)は、第1のアンテナ(ANTA)又は第2のアンテナ(ANTB)を介して送受信する信号を処理する。
【００１７】
第1のアンテナ(ANTA)は、偏波ダイバーシティにおいて使用されるx偏波及びy偏波のうちの一方の偏波の信号を、スイッチ(SW)により選択された場合に送受信する。x偏波とは、電波が送受信される方向がz軸方向である場合に、電界の振幅方向が実質的にx軸方向に平行である直線偏波である。y偏波とは、電波が送受信される方向がz軸方向である場合に、電界の振幅方向が実質的にy軸方向に平行である直線偏波である。x軸、y軸及びz軸のような3次元空間での座標軸の取り方は任意であり、x、y、zは、空間に言及する際の便宜的なラベルに過ぎない。
【００１８】
第2のアンテナ(ANTB)は、第1のアンテナ(ANTA)と同様に、偏波ダイバーシティにおいて使用されるx偏波及びy偏波のうちの他方の偏波の信号を、スイッチ(SW)により選択された場合に送受信する。
【００１９】
スイッチ(SW)は、第1のアンテナ(ANTA)及び第2のアンテナ(ANTB)のうち何れを用いて通信するかに応じて、何れか一方を送受信回路(Tx/Rx)に接続する。すなわち、スイッチ(SW)は、x偏波及びy偏波のうち何れを用いて通信するかに応じて、第1のアンテナ(ANTA)及び第2のアンテナ(ANTB)のうち何れか一方を送受信回路(Tx/Rx)に接続し、選択された方の偏波が送受信されるようにする。第1のアンテナ(ANTA)及び第2のアンテナ(ANTB)のうち選択されなかった方は終端される。図1に示す例において、第1のアンテナ(ANTA)及び第2のアンテナ(ANTB)のうち選択されなかった方は、終端抵抗(RT)を介してグランドに接続され、終端されている。
【００２０】
より具体的に説明すると、スイッチ(SW)において、「1」で示される側が選択されると、第1のアンテナ(ANTA)が送受信回路(Tx/Rx)に接続され、第2のアンテナ(ANTB)が終端される。スイッチ(SW)において、「2」で示される側が選択されると、第1のアンテナ(ANTA)が終端され、第2のアンテナ(ANTB)が送受信回路(Tx/Rx)に接続される。
【００２１】
＜＜1.2  第1のアンテナ(ANTA)＞＞
第1のアンテナ(ANTA)は、第1の放射素子(RADA)と、第1の整合線路部分(Z0LNA)と、第1の非整合線路部分(ZN0LNA)と、第1のインピーダンス調整回路(CANCELA)とを含む。図1において、例えば、給電素子として機能する部分(FEA)を介して高周波信号が適切に送受信されるように、実際には整合回路等も存在するが、簡明化のため描かれてはいない。そのような整合回路は、一般に、第1の放射素子放射素子(RADA)側の低いインピーダンスと内部回路側の高いインピーダンス(典型的には、50Ωや75Ω)との間の整合(インピーダンス整合)をとるために設けられる。
【００２２】
第1の放射素子(RADA)は、第1のアンテナ(ANTA)がスイッチ(SW)により選択された場合に、x偏波又はy偏波のうちの一方を送受信する。
【００２３】
第1の整合線路部分(Z0LNA)及び第1の非整合線路部分(ZN0LNA)は、第1の放射素子(RADA)とスイッチ(SW)との間に直列に接続される。第1の整合線路部分(Z0LNA)は、特性インピーダンスが所定のインピーダンスであるような線路を形成する。所定のインピーダンスは典型的には50Ωであるが、一般的には適切な如何なる値であってもよい。例えば、所定のインピーダンスは75Ωであってもよい。第1の非整合線路部分(ZN0LNA)は、第1の整合線路部分(Z0LNA)とは異なる特性インピーダンスを有する線路を形成する。
【００２４】
第1の整合線路部分(Z0LNA)及び第1の非整合線路部分(ZN0LNA)は、第1の放射素子(RADA)と送受信回路(Tx/Rx)との間で高周波信号を流すことが可能な適切な如何なる線路で形成されてもよい。例えば、第1の整合線路部分(Z0LNA)及び第1の非整合線路部分(ZN0LNA)は、マイクロストリップ線路、コプレーナ線路、スロット線路、同軸線路等により形成されてもよい。
【００２５】
図2は図1のアンテナ装置10で使用可能なマイクロストリップ線路の断面を示す。マイクロストリップ線路の特性インピーダンスZCは、次式に基づいて求めることができる。
【００２６】
【数１】
2015162830.tif 000003
この場合において、Wは線路(LN)の幅を表し、dは線路(LN)とグランド基板(GND)との間の距離(すなわち、誘電体基板の厚み)を表し、εrは誘電体基板の比誘電率を表す。εeは実効誘電率であり、次式により与えられる。
【００２７】
【数２】
2015162830.tif 000004
【００２８】
図1の第1のインピーダンス調整回路(CANCELA)は、非整合線路部分(ZN0LNA)に対して並列に第1の放射素子(RADA)に接続される。第1のインピーダンス調整回路(CANCELA)は、第1のアンテナ(ANTA)及び第2のアンテナ(ANTB)の間のアンテナ間結合に起因する結合インピーダンス(ZAB)に応じて決定されるインピーダンス(ZCANCEL)を有する。
【００２９】
第1の整合線路部分(Z0LNA)における特性インピーダンス(Z0)、第1の非整合線路部分(ZN0LNA)における特性インピーダンス(ZN0)、及び第1のインピーダンス調整回路(CANCELA)のインピーダンス(ZCANCEL)がどのような関係になっているかについては後述する。
【００３０】
＜＜1.3  第2のアンテナ(ANTB)＞＞
第2のアンテナ(ANTB)は、第1のアンテナ(ANTA)と同様な構造を有し、同様に動作する。一例として、第1のアンテナ(ANTB)は、第1のアンテナ(ANTA)と完全に同じ構造を有してもよいが、異なる構造を有してもよい。図1に示すように、第2のアンテナ(ANTB)は、第2の放射素子(RADB)と、第2の整合線路部分(Z0LNB)と、第2の非整合線路部分(ZN0LNB)と、第2のインピーダンス調整回路(CANCELB)とを含む。
【００３１】
図1において、例えば、給電素子として機能する部分(FEB)を介して高周波信号が適切に送受信されるように、実際には整合回路等も存在するが、簡明化のため描かれてはいない。そのような整合回路は、一般に、第2の放射素子放射素子(RADB)側の低いインピーダンスと内部回路側の高いインピーダンス(典型的には、50Ωや75Ω)との間の整合(インピーダンス整合)をとるために設けられる。
【００３２】
第2の放射素子(RADB)は、第2のアンテナ(ANTB)がスイッチ(SW)により選択された場合に、x偏波又はy偏波のうちの他方を送受信する。
【００３３】
第2の整合線路部分(Z0LNB)及び第2の非整合線路部分(ZN0LNB)は、第2の放射素子(RADB)とスイッチ(SW)との間に直列に接続される。第2の整合線路部分(Z0LNB)は、特性インピーダンスが所定のインピーダンスであるような線路を形成する。所定のインピーダンスは典型的には50Ωであるが、一般的には適切な如何なる値であってもよい。例えば、所定のインピーダンスは75Ωであってもよい。第2の非整合線路部分(ZN0LNB)は、第2の整合線路部分(Z0LNB)とは異なる特性インピーダンスを有する線路を形成する。
【００３４】
第2の整合線路部分(Z0LNB)及び第2の非整合線路部分(ZN0LNB)は、第2の放射素子(RADB)と送受信回路(Tx/Rx)との間で高周波信号を流すことが可能な適切な如何なる線路で形成されてもよい。
【００３５】
第2のインピーダンス調整回路(CANCELB)は、非整合線路部分(ZN0LNB)に対して並列に第2の放射素子(RADB)に接続される。第2のインピーダンス調整回路(CANCELB)は、第2のアンテナ(ANTA)及び第2のアンテナ(ANTB)の間のアンテナ間結合に起因する結合インピーダンス(ZAB)に応じて決定されるインピーダンス(ZCANCEL)を有する。
【００３６】
＜＜1.4  動作＞＞
次に、図1に示すアンテナ装置10の動作を説明する。上述したように、スイッチ(SW)を切り替えることで、第1のアンテナ(ANTA)及び第2のアンテナ(ANTB)のうち何れかを用いて通信を行うことができる。第1のアンテナ(ANTA)及び第2のアンテナ(ANTB)は、同様な構造を有し、同様に動作する。そこで、一例として、第1のアンテナ(ANTA)が送受信回路(Tx/Rx)に接続され、第2のアンテナ(ANTB)が終端されている場合を説明する。第2のアンテナ(ANTB)が送受信回路(Tx/Rx)に接続され、第1のアンテナ(ANTA)が終端されている場合にも、同様な説明が適用可能である。
【００３７】
図3は、第1のアンテナ(ANTA)が送受信回路(Tx/Rx)に接続され、第2のアンテナ(ANTB)が終端されている様子を示す。図3に示す例では、第1の整合線路部分(Z0LNA)と第1の非整合線路部分(ZN0LNA)との間に点(VA)が示されているが、点(VA)は説明の便宜上の地点を示しているに過ぎない。同様に、第2の整合線路部分(Z0LNB)と第2の非整合線路部分(ZN0LNB)との間に点(VB)も示されているが、点(VB)も説明の便宜上の地点を示しているに過ぎない。第1の整合線路部分(Z0LNA)、第1の非整合線路部分(ZN0LNA)、第2の整合線路部分(Z0LNB)及び第2の非整合線路部分(ZN0LNB)等の具体的な配線パターンについては後述する。
【００３８】
更に、図3では、第1のアンテナ(ANTA)及び第2のアンテナ(ANTB)の間の結合に起因して生じる結合インピーダンス(ZAB)が強調して描かれている。アンテナ間の結合の影響が、ZABというインピーダンスを有する素子(COUPLE)として便宜的に表現されているが、そのような素子はアンテナ装置10に意図的に物理的に組み込まれるわけではない。この結合は、カップリグ、アンテナ間結合、又はアンテナ間カップリング等と言及されてもよい。第1のアンテナ(ANTA)及び第2のアンテナ(ANTB)の間に結合が生じるのは、通信装置の小型化等に伴って複数のアンテナが物理的に接近するようになってきたことや、複数のアンテナでグランド基板(後述のGND)が共有されること等に起因すると考えられる。従って、素子(COUPLE)は、結合インピーダンス(ZAB)を有する寄生素子と言及されてもよい。
【００３９】
説明の便宜上、第1、第2のアンテナ(ANTA、ANTB)の送受信回路(Tx/Rx)への接続は「選択」と言及され、第1、第2のアンテナ(ANTA、ANTB)の終端は「非選択」と言及される場合がある。
【００４０】
先ず、第1のアンテナ(ANTA)が選択されている場合、送受信回路(Tx/Rx)と点(VA)との間の線路のインピーダンスは所定のインピーダンス(Z0)(説明の便宜上、Z0=50Ωであるとするが、他の値であってもよい)である。送受信回路(Tx/Rx)と点(VA)との間の線路は第1の整合線路部分(Z0LNA)だからである。高周波信号は、送受信回路(Tx/Rx)と点(VA)との間を双方向に適切に流れることができる。
【００４１】
次に、第1の非整合線路部分(ZN0LNA)自体の特性インピーダンス(ZN0)は、第1の整合線路部分(Z0LNA)の特性インピーダンス(Z0)とは異なる(ZN0≠Z0)。しかし、点(VA)から第1の放射素子(RADA)側を見た場合のインピーダンスを、所定のインピーダンス(Z0)に等しくする条件(条件1)を満たすように、第1の非整合線路部分(ZN0LNA)及びインピーダンス調整回路(CANCELA)のインピーダンス(ZN0、ZCANCEL)が設定されている。実際には、第1の非整合線路部分(ZN0LNA)及びインピーダンス調整回路(CANCELA)のインピーダンス(ZN0、ZCANCEL)は、上記の条件1を満たすことに加えて、非選択のアンテナ(目下の例の場合は、RADB)も考慮して決定される。点(VA)から第1の放射素子(RADA)側を見た場合のインピーダンスを、所定のインピーダンス(Z0)に等しくする条件1が満たされるならば、高周波信号は、送受信回路(Tx/Rx)と第1の放射素子(RADA)との間を双方向に適切に流れることができる。
【００４２】
図4は、図3に示すアンテナ装置における高周波信号の流れを示す。図4の上側に示されているように、選択されている第1のアンテナ(ANTA)において、高周波信号は、第1の放射素子(RADA)と送受信回路Tx/Rxと間を双方向に適切に流れることができる。なお、点(VA)から第1の放射素子(RADA)までの経路に存在する要素のうち、第1の非整合線路部分(ZN0LNA)及びインピーダンス調整回路(CANCELA)が比較的大きな寄与を及ぼすので、これらが図1-3に示されている。
【００４３】
次に、非選択の第2のアンテナ(ANTB)の側を考察する。第1のアンテナ(ANTA)及び第2のアンテナ(ANTB)の間の結合に起因して結合インピーダンス(ZAB)が生じる。第1の放射素子(RADA)を介して送受信される高周波信号の一部は、結合インピーダンス(ZAB)の部分(COUPLE)を通じて、第2のアンテナ(ANTB)の側にも混入してしまう。このように混入した高周波信号が内部回路の側(終端抵抗RTの側)に流れることは、通信装置内部の雑音を増やしてしまう等の理由により好ましくない。逆に、結合インピーダンス(ZAB)の部分(COUPLE)を通じて第2のアンテナ(ANTB)の側に混入した高周波信号が、第1のアンテナ(ANTA)の側に反射されると、位相のずれ等に起因してそれはもはや所望信号としての役割を果たすことができず、不要な信号となる。従って、結合インピーダンス(ZAB)の部分(COUPLE)を通じて第2のアンテナ(ANTB)の側に混入した高周波信号は、グランドに吸収されることが好ましい。一例として、第1のアンテナ(ANTA)から結合インピーダンス(ZAB)の部分(COUPLE)を通じて第2のアンテナ(ANTB)の側に混入する高周波信号は、第1のアンテナ(ANTA)を介して送受信される高周波信号の数パーセントである。
【００４４】
実施の形態では、結合インピーダンス(ZAB)とインピーダンス調整回路(CANCELB)のインピーダンス(ZCANCEL)との合成インピーダンスが、所定のインピーダンス(Z0)に等しくなるという条件(条件2)を満たすように、インピーダンス(ZCANCEL)が調整されている。混乱のおそれがなければ、結合インピーダンス(ZAB)の影響を相殺するように、インピーダンス調整回路(CANCELB)のインピーダンス(ZCANCEL)が設定されていると言える。
【００４５】
結合インピーダンス(ZAB)とインピーダンス(ZCANCEL)の合成インピーダンスが所定のインピーダンス(Z0)に等しいという条件2が満たされるならば、非選択の第2のアンテナ(ANTB)に混入した高周波信号は、第2のインピーダンス調整回路(CANCELB)を経てグランドに至る。この場合、非選択の第2のアンテナ(ANTB)に混入した高周波信号は、第2の非整合線路部分(ZN0LNB)を流れて点(VB)に至ることはできない。第2の非整合線路部分(ZN0LNB)の特性インピーダンス(ZN0)は、第2の整合線路部分(Z0LNB)の特性インピーダンス(Z0)に整合していないからである(ZN0≠Z0)。
【００４６】
図4の下側に示すように、非選択の第2のアンテナ(ANTB)に混入した高周波信号は、点(VB)に至ることなく、第2のインピーダンス調整回路(CANCELB)を経てグランドに至る。
【００４７】
第1及び第2のインピーダンス調整回路のインピーダンス(ZCANCEL)と、第1及び第2の非整合線路部分のインピーダンス(ZN0)とは、例えば、上記の条件1及び条件2により決定することが可能であるが、インピーダンスの決定の仕方はこの例に限定されない。
【００４８】
条件1：点(VA)から第1の放射素子(RADA)側を見た場合のインピーダンスが、特性インピーダンス(Z0)に等しい。
【００４９】
条件2：結合インピーダンス(ZAB)とインピーダンス(ZCANCEL)の合成インピーダンスが所定のインピーダンス(Z0)に等しい。
【００５０】
＜2.具体例＞
図1に示すアンテナ装置10の具体例を説明する。説明の簡明化のため、アンテナ装置10は、図2に示すように、グランド層と、グランド層上に設けられた誘電体層と、誘電体層上に形成される配線層とを有するものとするが、4層以上の多層構造が使用されてもよい。
【００５１】
図5は、第1の放射素子(RADA)、第2の放射素子(RADB)及びグランド基板(GND)を含むグランド層を示す。ほぼ正方形のグランド基板(GND)の4辺のうち隣接する2辺に沿って第1の放射素子(RADA)と第2の放射素子(RADB)とが形成されている。
【００５２】
FEAとして示されている部分は、第1の放射素子(RADA)と送受信回路(Tx/Rx)との間でやり取りされる高周波信号が入出力される部分を示す。FEBとして示されている部分は、第2の放射素子(RADB)と送受信回路(Tx/Rx)との間でやり取りされる高周波信号が入出力される部分を示す。FEA及びFEBの部分は、第1、第2の放射素子(RADA、RADB)に対して高周波信号を入出力するので、例えば、図1における給電素子(FEA、FEB)に対応させてもよい。
【００５３】
図5において、第1の放射素子(RADA)及び第2の放射素子(RADB)は、それぞれ4分の1波長の長さを有する逆Lアンテナとして形成されているが、実施の形態は図5に示す例に限定されず、偏波ダイバーシティに使用可能な適切な如何なるアンテナが使用されてもよい。
【００５４】
図6は、図5に示す構造における逆Lアンテナの代わりに逆Fアンテナが使用されている様子を示す。図6には第1の放射素子(RADA)しか描かれていないが、第2の放射素子(RADB)についても同様に、逆Lアンテナの代わりに逆Fアンテナが使用されてもよい。
【００５５】
図5及び図6に示す例は単なる一例に過ぎず、適切な如何なるアンテナが使用されてもよいが、アンテナ装置の小型化を図る観点からは、4分の1波長の長さの放射素子を有するモノポールアンテナを使用することが好ましい。
【００５６】
第1の放射素子(RADA)及び第2の放射素子(RADB)の長さは、送受信する電波の波長(又は周波数)に応じて適宜決定される。一例として、800MHzの周波数の電波が使用される場合、第1の放射素子(RADA)及び第2の放射素子(RADB)は、約9.375センチメートル(4分の1波長)の長さをそれぞれ有する。一例として、第1の放射素子(RADA)及び第2の放射素子(RADB)は、約2mmの線幅をそれぞれ有する。
【００５７】
図5に示すグランド層は、第1の放射素子(RADA)、第2の放射素子(RADB)及びグランド基板(GND)を含み、グランド層は適切な如何なる導電性の材料で形成されてもよい。一例として、グランド層は、銅(Cu)、金(Au)、銀(Ag)、ステンレス等のような導電性の材料で形成されてもよい。導電性の材料の導電率は、一例として、約5.8×105(S/m)である。
【００５８】
図5に示すようなグランド層の上(z軸方向)には誘電体層(SUBDIELEC)が設けられる。誘電体層(SUBDIELEC)の外周が、グランド層周囲の破線枠で示されている。誘電体層(SUBDIELEC)は適切な如何なる絶縁性の材料で形成されてもよい。一例として、誘電体層(SUBDIELEC)は、ガラスエポキシ樹脂により形成されたFR4(Flame  Retardant  Type  4)、セラミックス、テフロン(登録商標)等の材料で形成されていてもよい。一例として誘電体層(SUBDIELEC)は約0.5mm以上の厚みdを有し、好ましくは約0.8mm以上約1mm以下の厚みdを有する。
【００５９】
図7は、誘電体層の上(z軸方向)に形成される配線層のパターンのうち、第1のアンテナ(ANTA)及び第2のアンテナ(ANTB)に関連する部分を示す。従って、実際にはスイッチ(SW)や送受信回路(Tx/Rx)等のような図1に示すアンテナ装置10を形成する他の要素も存在するが、そのような他の要素は、「Tx/Rxまたは終端」として示されている。
【００６０】
図7に示す配線層のパターンも、適切な如何なる導電性の材料で形成されてもよい。一例として、配線層は、銅(Cu)、金(Au)、銀(Ag)、ステンレス等のような導電性の材料を誘電体層(SUBDIELEC)上にめっきすることで、所定の寸法及び形状に形成されてもよい。導電性の材料の導電率は、一例として、約5.8×105(S/m)である。
【００６１】
図8は、図5に示すグランド層と図7に示す配線層とを重ねて示しているが、簡明化のため、誘電体層(SUBDIELEC)は図8では示されていない。図8に示すような構造を誘電体層(SUBDIELEC)と共に形成することで、図1に示すアンテナ装置10を具現化したアンテナ装置100が形成される。
【００６２】
図7、図8及び図1を参照しながら、実施の形態によるアンテナ装置100を説明する。図7及び図8では、F0A、F1A、SAにより示されるパターンと、F0B、F1B、SBにより示されるパターンとが示されている。
【００６３】
F0Aは、例えば、図1の第1のアンテナ(ANTA)に属する第1の整合線路部分(Z0LNA)に対応する。図2を参照しながら説明したように、マイクロストリップ線路の特性インピーダンスは、線路の幅Wと、線路からグランド層までの距離(誘電体層の厚み)dとで決定される。従って、F0Aの部分の幅WZ0を適切な値に設定することで、F0Aの部分の特性インピーダンスが、所定のインピーダンス(Z0)(例えば、50Ω)を有するように設計できる。
【００６４】
F1Aは、例えば、図1の第1のアンテナ(ANTA)に属する第1の非整合線路部分(ZN0LNA)に対応する。F0Aの場合と同様に、F1Aの部分の幅WNZ0を適切な値に設定することで、F1Aの部分の特性インピーダンスが、所定のインピーダンス(ZN0)(例えば、50Ω以外の値)を有するように設計できる。
【００６５】
SAは、例えば、図1の第1のアンテナ(ANTA)に属する第1のインピーダンス調整回路(CANCELA)に対応する。図7及び図8に示すSAの部分は、スタブのような分布定数素子を形成している。従って、線路の幅(WCANCEL)や長さ(LNCANCEL)等を適切に設定することで、SAの部分が、所定のインピーダンスを有するように設計できる。
【００６６】
F0B、F1B、SBにより示されるパターンは、F0A、F1A、SAにより示されるパターンと同一であるように形成されてもよいし、相違するように形成されてもよい。図7及び図8に示す例では、F0B、F1B、SBにより示されるパターンが、F0A、F1A、SAにより示されるパターンと同一であるように示されている。
【００６７】
F0Bは、例えば、図1の第2のアンテナ(ANTB)に属する第2の整合線路部分(Z0LNB)に対応する。例えば、F0Bの部分の幅WZ0を適切な値に設定することで、F0Bの部分の特性インピーダンスが、所定のインピーダンス(Z0)(例えば、50Ω)を有するように設計できる。
【００６８】
F1Bは、例えば、図1の第2のアンテナ(ANTA)に属する第2の非整合線路部分(ZN0LNB)に対応する。F0Bの場合と同様に、F1Bの部分の幅WNZ0を適切な値に設定することで、F1Bの部分の特性インピーダンスが、所定のインピーダンス(ZN0)(例えば、50Ω以外の値)を有するように設計できる。
【００６９】
SBは、例えば、図1の第2のアンテナ(ANTB)に属する第2のインピーダンス調整回路(CANCELB)に対応する。図7及び図8に示すSBの部分は、スタブのような分布定数素子を形成している。従って、線路の幅(WCANCEL)や長さ(LNCANCEL)等を適切に設定することで、SAの部分が、所定のインピーダンスを有するように設計できる。
【００７０】
上述したように、インピーダンス調整回路(CANCEL)のインピーダンス(ZCANCEL)は、第1のアンテナ(ANTA)及び第2のアンテナ(ANTB)の間のアンテナ間結合に起因する結合インピーダンス(ZAB)応じて決定される。一例として、結合インピーダンス(ZAB)とインピーダンス調整回路(CANCELB)のインピーダンス(ZCANCEL)との合成インピーダンスが、所定のインピーダンス(Z0)に等しくなるように、インピーダンス(ZCANCEL)が設定されてもよい。例えば、結合インピーダンス(ZAB)の影響を相殺するように、インピーダンス調整回路(CANCELB)のインピーダンス(ZCANCEL)が設定されてもよい。
【００７１】
例えば、結合インピーダンス(ZAB)においてインダクタの影響が大きかった場合、キャパシタの影響が大きくなるように、第1のインピーダンス調整回路(CANCELA)及び第2のインピーダンス調整回路(CANCELB)が形成される。
【００７２】
図9は、第1のインピーダンス調整回路(CANCELA)がキャパシタで形成された例を示す。第2のインピーダンス調整回路(CANCELB)についても同様な構造を利用することが可能である。一例として、SAの部分の長さ(LNCANCEL)を、4分の1波長より短くすると、SAの部分がキャパシタとして機能しやすくなる。更に、線幅(WCANCEL)を増やす又は減らすことでキャパシタンスを増やす又は減らすことが可能である。
【００７３】
逆に、例えば、結合インピーダンス(ZAB)においてキャパシタの影響が大きかった場合、インダクタの影響が大きくなるように、第1のインピーダンス調整回路(CANCELA)及び第2のインピーダンス調整回路(CANCELB)が形成される。
【００７４】
図10は、第1のインピーダンス調整回路(CANCELA)がインダクタで形成された例を示す。第2のインピーダンス調整回路(CANCELB)についても同様な構造を利用することが可能である。一例として、SAの部分の長さ(LNCANCEL)を、4分の1波長より長くすると、SAの部分がインダクタとして機能しやすくなる。更に、線幅(WCANCEL)を増やす又は減らすことでインダクタンスを増やす又は減らすことが可能である。
【００７５】
図9及び図10に示す例は単なる具体例に過ぎず、アンテナ間結合に起因する結合インピーダンス(ZAB)がどのようなインピーダンスを有するかに応じて、第1及び第2のインピーダンス調整回路のインピーダンス(ZCANCEL)を適宜決定することが可能である。
【００７６】
図3の場合と同様に、図8において、第1のアンテナ(ANTA)が送受信回路(Tx/Rx)に接続され、第2のアンテナ(ANTB)が終端されている場合を説明する。すなわち、第1のアンテナ(ANTA)が選択されている状態であり、第2のアンテナ(ANTB)が非選択の状態であるとする。送受信回路(Tx/Rx)に接続されているF0Aの部分は、第1の整合線路部分(Z0LNA)に対応するので、所定の特性インピーダンス(Z0)を有する。従って、高周波信号は、F0Aの部分を双方向に適切に流れることができる。
【００７７】
F0Aの部分から、第1の放射素子(RADA)までの間には、F1Aの部分、SAの部分、FEAの部分等が存在する。実際には整合回路等も存在するが、説明の簡明化のため描かれてはいない。F0Aの部分から第1の放射素子(RADA)の側を見た場合のインピーダンスに大きく影響を及ぼすのは、F1Aの部分及びSAの部分である。FEAの部分の部分は給電素子として機能する程度に十分にインピーダンスは小さいからである。F0Aの部分から第1の放射素子(RADA)の側を見た場合に、F1Aの部分及びSAの部分の総合的なインピーダンスが所定のインピーダンス(Z0)になるように、SAの部分のインピーダンスが調整されている。従って、高周波信号は、F1Aの部分及びFEAの間を介して、送受信回路(Tx/Rx)と第1の放射素子(RADA)との間で双方向に適切に流れることが可能である。
【００７８】
次に、非選択の第2のアンテナ(ANTB)の側を考察する。第1のアンテナ(ANTA)及び第2のアンテナ(ANTB)の間の結合に起因して結合インピーダンス(ZAB)が生じる。第1の放射素子(RADA)を介して送受信される高周波信号の一部は、結合インピーダンス(ZAB)に起因して、第2のアンテナ(ANTB)の側にも混入してしまう。
【００７９】
結合インピーダンス(ZAB)とSBの部分のインピーダンス(ZCANCEL)との合成インピーダンスが、所定のインピーダンス(Z0)に等しくなるように、SBの部分のインピーダンス(ZCANCEL)が調整されている。例えば、結合インピーダンス(ZAB)の影響を相殺するように、SBの部分のインピーダンス(ZCANCEL)が設定されている。従って、非選択の第2のアンテナ(ANTB)に混入した高周波信号は、FEBの部分からSBの部分を経てグランド層に至る。この場合、非選択の第2のアンテナ(ANTB)に混入した高周波信号は、F1Bの部分及びF0Bの部分を流れることはできない。F1Bの部分の特性インピーダンス(ZN0)は、F0Bの部分の特性インピーダンス(Z0)に整合していないからである(ZN0≠Z0)。
【００８０】
従って、非選択の第2のアンテナ(ANTB)に混入した高周波信号は、F0Bの部分を通過することなく、SBの部分を経てグランド層に至る。
【００８１】
図7及び図8に示す例では、第1、第2のインピーダンス調整回路(CANCELA、CANCELB)が、スタブのような分布定数素子として形成されている。しかしながら実施の形態はスタブに限定されず、他の素子が使用されてもよい。一例として、第1、第2のインピーダンス調整回路(CANCELA、CANCELB)は、集中定数素子として形成されてもよい。
【００８２】
図11は、第1、第2のインピーダンス調整回路(CANCELA、CANCELB)を、集中定数素子(DISTA、DISTB)として形成した例を示す。第1、第2のインピーダンス調整回路(CANCELA、CANCELB)は、分布定数素子(SA、SB)であっても、集中定数素子(DISTA、DISTB)であっても適切に機能するが、配線層上で占める面積を少なくする等の観点からは、集中定数素子を利用することが好ましい。
【００８３】
図5、図7、図8、図11に示す例では、グランド基板(GND)がxy平面内でほぼ正方形を形成しているが、実施の形態はそのような例に限定されず、適切な如何なる形状が使用されてもよい。
【００８４】
図12は、グランド基板(GND)を長方形に形成した場合のアンテナ装置の一例を示す。グランド基板(GND)は、x軸に沿う辺を長辺とし、y軸に沿う辺を短辺とする長方形を形成している。第1のアンテナ(ANTA)の第1の放射素子(RADA)はx偏波を送受信し、第2のアンテナ(ANTB)の第2の放射素子(RADB)はy偏波を送受信する点に変わりはないが、第1の放射素子(RADA)の形状と第2の放射素子(RADB)の形状とが若干相違している。第1の放射素子(RADA)も第2の放射素子(RADB)も同じ4分の1波長の長さを有するが、設けられる領域の長さ(辺の長さ)が異なるからである。なお、図12に示す例は、図5、図7、図8、図11に示す例と比較すると、グランド基板(GND)の形状及び第2の放射素子(RADB)の形状だけでなく、F0Aの位置、F0Bの位置、第1の放射素子(RADA)の先端形状も若干相違している。しかしながら、これらの相違は、本質的な相違ではなく、このような変形例も本明細書により開示される内容に包含される。
【００８５】
＜3.効果＞
2つのアンテナを利用する場合のダイバーシティ効果の劣化を軽減する観点からは、2つのアンテナが接続されているグランドにスリット又は溝を形成することが考えられる。
【００８６】
図13は、そのようなスリットを有するアンテナ装置のグランド層(上側)及び配線層(下側)を示す。図13に示すアンテナ装置は、実施の形態による効果を検討する際の比較例として使用される。図13に示す比較例によるアンテナ装置の場合、スリット(SL)が形成されているので、第1のアンテナ(ANT1)による通信と第2のアンテナ(ANT2)による通信とを確実に分離することが可能である。
【００８７】
図13に示す比較例によるアンテナ装置も、図2に示すように、グランド層と、グランド層上に形成された誘電体層と、誘電体層上に形成された配線層とを有する。図13の上側に示されているように、グランド層は、グランド基板(GND)と、第1の放射素子(RAD1)と、第2の放射素子(RAD2)とを有する。グランド基板(GND)は、第1の放射素子(RAD1)と実質的に平行に形成されたスリット又は溝(SL)を有する。図13の上側に示す例では、スリット(SL)は、溝幅が約2mm、y軸方向に約6mmの奥行き、x軸方向に約37mmの長さを有する逆L字状の形状を有する。
【００８８】
図13の下側に示されているように、配線層は、「Tx/Rxまたは終端」のように示されている構造と、F01及びF02として示されているパターンとを有する。「Tx/Rxまたは終端」は送受信回路に接続される状態又は終端される状態を実現するための構造であり、具体的には図1に示すスイッチ(SW)及び送受信回路(Tx/Rx)に関連する。F01の部分は、典型的には50Ωである所定のインピーダンス(Z0)を有する線路部分であり、FE1の部分(第1の給電素子)を介して第1の放射素子(RAD1)に接続される。同様に、F02の部分も、典型的には50Ωである所定のインピーダンス(Z0)を有する線路部分であり、FE2の部分(第2の給電素子)を介して第2の放射素子(RAD2)に接続される。
【００８９】
図13に示す比較例によるアンテナ装置の場合、スリット(SL)が形成されているので、第1のアンテナ(ANT1)による通信と第2のアンテナ(ANT2)による通信とを確実に分離することが可能である。
【００９０】
図14は、図13に示す比較例によるアンテナ装置の第1のアンテナ(ANT1)に送受信回路(Tx/Rx)を接続し、かつ第2のアンテナ(ANT2)を終端した場合に放射される信号の強度を示している。図14に示されているように、第1のアンテナ(ANT1)の側で放射される信号は、第2のアンテナ(ANT2)の側で観測される信号よりもかなり強いことが分かる。比較例によるアンテナ装置の場合、第1のアンテナ(ANT1)と第2のアンテナ(ANT2)との間の結合の強さを示す相関係数は、0.01であった。ちなみに、第1のアンテナ(ANT1)と第2のアンテナ(ANT2)との間の結合が全く存在しなかった場合、相関係数は0である。
【００９１】
図15は、第1、第2のインピーダンス調整回路が集中定数素子(DISTA、DISTB)により形成された場合の実施の形態によるアンテナ装置を示す。図15に示すアンテナ装置は、図11に示すアンテナ装置と同様であるが、図15に示すアンテナ装置は、図13の比較例のアンテナ装置と比較することを意図して表現されている。図15に示すアンテナ装置も、図2に示すように、グランド層と、グランド層上に形成された誘電体層と、誘電体層上に形成された配線層とを有するが、図15では、グランド層(上側)と配線層(下側)とが示されている。図15の上側に示されているように、グランド層は、グランド基板(GND)と、第1の放射素子(RADA)と、第2の放射素子(RADA)とを有する。比較例のアンテナ装置とは異なり、図15に示すアンテナ装置のグランド基板(GND)は、スリット(SL)を有していない。
【００９２】
図15の下側に示されているように、配線層は、「Tx/Rxまたは終端」と示されている構造と、F0A及びF0Bとして示されているパターンと、F1A及びF1Bとして示されているパターンと、DISTA及びDISTBとして示されている集中定数素子とを有する。
【００９３】
「Tx/Rxまたは終端」は送受信回路に接続される状態又は終端される状態を実現するための構造であり、具体的には図1に示すスイッチ(SW)及び送受信回路(Tx/Rx)に関連する。
【００９４】
F0Aの部分は、例えば、図1の第1のアンテナ(ANTA)に属する第1の整合線路部分(Z0LNA)に対応し、所定の特性インピーダンス(Z0)(例えば、50Ω)を有する線路部分である。F1Aの部分は、例えば、図1の第1のアンテナ(ANTA)に属する第1の非整合線路部分(ZN0LNA)に対応し、別の所定の特性インピーダンス(ZN0)(例えば、50Ω以外の値)を有する線路部分である。図15に示す例の場合、F1Aの部分は、配線層の中で、一部がグランド基板(GND)の上にあり、他の部分はグランド基板(GND)の上にはなくかつ第1の放射素子(RADA)に電気的に繋がっている。F1Aの部分のうち、グランド基板(GND)の上にある領域(又はグランド基板(GND)に被っている領域)は、x軸方向に約20mm及びy軸方向に約3.5mmの範囲にわたっている。DISTAの部分は、例えば、図1の第1のアンテナ(ANTA)における第1のインピーダンス調整回路(CANCELA)に対応し、所定のインピーダンス(ZCANCEL)を有する。
【００９５】
F0Bの部分は、例えば、図1の第2のアンテナ(ANTB)に属する第2の整合線路部分(Z0LNB)に対応し、所定の特性インピーダンス(Z0)(例えば、50Ω)を有する線路部分である。F1Bの部分は、例えば、図1の第2のアンテナ(ANTB)における第2の非整合線路部分(ZN0LNB)に対応し、別の所定の特性インピーダンス(ZN0)(例えば、50Ω以外の値)を有する線路部分である。図15に示す例の場合、FIBの部分は、配線層の中で、一部がグランド基板(GND)の上にあり、他の部分はグランド基板(GND)の上にはなくかつ第2の放射素子(RADB)に電気的に繋がっている。F1Bの部分のうち、グランド基板(GND)の上にある領域(又はグランド基板(GND)に被っている領域)は、x軸方向に約20mm及びy軸方向に約3.5mmの範囲にわたっている。DISTBの部分は、例えば、図1の第2のアンテナ(ANTB)における第2のインピーダンス調整回路(CANCELB)に対応し、所定のインピーダンス(ZCANCEL)を有する。
【００９６】
図15に示すアンテナ装置の場合、スリット(SL)は形成されていないが、F1Aの部分、F1Bの部分、DISTA及びDISTBを所望のインピーダンスに設定しているので、第1のアンテナ(ANTA)による通信と第2のアンテナ(ANTB)による通信とを確実に分離することが可能である。図15に示すアンテナ装置の場合、第1のアンテナ(ANTA)と第2のアンテナ(ANTB)との間の結合の強さを示す相関係数は、わずか0.02であった。0.02という値は、図13に示す比較例のアンテナ装置の場合の相関係数0.01にかなり近いので、図15に示すアンテナ装置も、第1のアンテナ(ANTA)と第2のアンテナ(ANTB)とを、図13に示すアンテナ装置と同程度に確実に分離することができる。
【００９７】
図13に示すアンテナ装置の場合、約6mm×約37mm=約222mm2の範囲にわたるスリット(SL)を形成しなければならず、スリット(SL)の付近に部品を配置することは、原則としてできないので、約222mm2もの面積が設計の制約になってしまう。これに対して、図15に示すアンテナ装置の場合、そのようなスリットを形成しなくてよいが、配線層に、F1A及びF1Bの部分を形成しなければならず、F1A及びF1Bの部分の付近にも部品を配置することは、原則としてできない。F1Aの部分のうちグランド基板(GND)上にあるのは、約3.5mm×約20mm=約70mm2の領域であり、F1Bの部分のうちグランド基板(GND)上にあるのも、約3.5mm×約20mm=約70mm2の領域である。従って、設計の制約を課すことになる面積は140mm2(=70mm2+70mm2)となり、図13に示す比較例の場合の値222mm2よりも改善できている。なお、この面積の比較では、図15に示す集中定数素子(DISTA、DISTB)は非常に小さいので実装面積は無視されているが、仮に、図7及び図8に示すスタブのような分布定数素子(SA、SB)が使用される場合、分布定数素子が占める面積を無視することはできない。例えば、図7及び図8に示す分布定数素子(SA、SB)がそれぞれ約0.5mmの線幅(WCANCEL)及び約30mmの長さ(LNCANCEL)を有すると仮定する。この場合、設計の制約が課される面積は、分布定数素子(SA、SB)による寄与がそれぞれ約0.5×約30mm=15mm2なので、合計約170mm2(=140mm2+15mm2+15mm2)となるが、それでも図13に示す例の場合の値222mm2より少ない。
【００９８】
以上、実施の形態のアンテナ装置によれば、第1、第2のアンテナ(ANTA、ANTB)の伝送線路を工夫することで、スリットのような構造を形成することなく、第1、第2のアンテナ(ANTA、ANTB)を互いに適切に分離することができる。第1、第2のアンテナ(ANTA、ANTB)の伝送線路を工夫することは、スリットのような構造を形成する場合と比較して、アンテナ装置の設置面積を狭くできるので、部品配置等に関する設計の制約を緩和することができる。
【００９９】
一般に、通信装置はますます高性能化しつつあり、収容しなければならない部品点数は増加する傾向にある。スリットを設けるために多くの面積を確保することは、そのように増加する部品を配置する設計の自由度を妨げてしまう。実施の形態のようにスリットを設ける必要性を排除し、アンテナ装置の設置面積を狭くできることは、通信装置の部品点数の増加及び高性能化等の観点からも有利である。
【０１００】
以上、偏波ダイバーシティを行うアンテナ装置を説明してきたが、開示される実施の形態はそのような実施形態に限定されず、当業者は様々な変形例、修正例、代替例、置換例等を理解するであろう。実施の形態の理解を促すため具体的な数値例を用いて説明がなされたが、特に断りのない限り、それらの数値は単なる一例に過ぎず適切な如何なる値が使用されてもよい。上記の説明における項目の区分けは開示される実施の形態に本質的ではなく、2つ以上の項目に記載された事項が必要に応じて組み合わせて使用されてよいし、ある項目に記載された事項が、別の項目に記載された事項に(矛盾しない限り)適用されてよい。装置を表現する図面は実施の形態に関連する主な要素を描いており、他の要素は実際には存在するが描かれていない。上記の説明において、「実施の形態」は必ずしも全てが同じ形態を指すわけではない。実施の形態は、上記の例に限定されず、開示される実施の形態の精神から逸脱することなく、様々な変形例、修正例、代替例、置換例等が当業者にとって明らかであり、そのような変形例、修正例、代替例、置換例等は添付の特許請求の範囲に包含されることが意図されている。
【０１０１】
以上の実施の形態に関し、更に以下の付記を開示する。（付記１）
複数のアンテナを用いて選択ダイバーシティ通信を行うアンテナ装置において、
複数のアンテナに接続された送受信回路と、
前記アンテナの放射素子に接続された給電素子と、
前記送受信回路と前記給電素子との間に配置され、特性インピーダンスが異なる複数の線路と、
前記給電素子と前記複数の線路との間に配置され、アンテナ間結合によって発生するインピーダンスを打ち消す回路素子と
を有するアンテナ装置。
（付記２）
前記複数の線路は、前記送受信回路と前記給電素子との間に直列に配置されている、付記１に記載のアンテナ装置。
（付記３）
前記回路素子は、前記複数の線路に並列に配置されている、付記１又は２に記載のアンテナ装置。
（付記４）
前記回路素子が集中定数素子により形成されている、付記１−３の何れか１項に記載のアンテナ装置。
（付記５）
前記回路素子が分布定数素子により形成されている、付記１−３の何れか１項に記載のアンテナ装置。
（付記６）
前記複数の放射素子は、偏波ダイバーシティにおけるｘ偏波及びｙ偏波を送受信するアンテナを形成する、付記１−５の何れか１項に記載のアンテナ装置。
（付記７）
前記複数の放射素子は、四角形のグランド基板の辺に沿って設けられている、付記１−６の何れか１項に記載のアンテナ装置。
【符号の説明】
【０１０２】
10  アンテナ装置
ANTA  第1のアンテナ
ANTB  第2のアンテナ
Tx/Rx  送受信回路
SW  スイッチ
RADA  第1の放射素子
Z0LNA  第1の整合線路部分
ZN0LNA  第1の非整合線路部分
CANCELA  第1のインピーダンス調整回路
RADB  第2の放射素子
Z0LNB  第2の整合線路部分
ZN0LNB  第2の非整合線路部分
CANCELB  第2のインピーダンス調整回路
【図１】
2015162830.tif 000005
【図２】
2015162830.tif 000006
【図３】
2015162830.tif 000007
【図４】
2015162830.tif 000008
【図５】
2015162830.tif 000009
【図６】
2015162830.tif 000010
【図７】
2015162830.tif 000011
【図８】
2015162830.tif 000012
【図９】
2015162830.tif 000013
【図１０】
2015162830.tif 000014
【図１１】
2015162830.tif 000015
【図１２】
2015162830.tif 000016
【図１３】
2015162830.tif 000017
【図１５】
2015162830.tif 000018
【図１４】
2015162830.tif 000019